(57)【要約】【課題】ハンドオーバの発生頻度を低減することを可能とする無線ＬＡＮ移動局を提供する。【解決手段】無線ＬＡＮ移動局（１−１〜Ｎ）は、単位時間当たりのハンドオーバの実行回数を計測し、その計測したハンドオーバの実行回数に応じて、ハンドオーバの実行基準となる閾値を変更するように制御する。【選択図】図１
2007251654.tif 000002
【特許請求の範囲】
【請求項１】
受信電波強度の値を測定する受信電波強度測定手段と、
前記受信電波強度測定手段により測定した受信電波強度の値と、ハンドオーバの実行基準となる閾値と、を比較し、前記受信電波強度の値が前記閾値以下と判断した際に、ハンドオーバを実行するハンドオーバ実行手段と、を有する無線ＬＡＮ移動局であって、
単位時間当たりのハンドオーバの実行回数を計測する計測手段と、
前記計測手段により計測したハンドオーバの実行回数に応じて、前記閾値を変更する閾値変更手段と、
を有することを特徴とする無線ＬＡＮ移動局。
【請求項２】
前記閾値変更手段は、
前記計測手段により計測したハンドオーバの実行回数が所定の値以上と判断した場合に、前記閾値を所定の値だけ低減させることを特徴とする請求項１記載の無線ＬＡＮ移動局。
【請求項３】
前記閾値変更手段は、
前記閾値を所定の値だけ低減させた後に、前記計測手段により計測したハンドオーバの実行回数が所定の値未満と判断した場合に、前記閾値を初期の閾値に変更、または、所定の値だけ増加させることを特徴とする請求項２記載の無線ＬＡＮ移動局。
【請求項４】
単位時間当たりのハンドオーバの実行回数と、受信電波強度の値と、を対応付けて管理する管理手段を有し、
前記閾値変更手段は、
前記計測手段により計測したハンドオーバの実行回数を基に、前記管理手段に管理されている前記ハンドオーバの実行回数に対応付けられた受信電波強度の値を取得し、該取得した受信電波強度の値を、前記閾値として変更することを特徴とする請求項１記載の無線ＬＡＮ移動局。
【請求項５】
前記閾値変更手段による前記閾値の変更を行うか否かを決定する閾値変更決定手段を有することを特徴とする請求項１記載の無線ＬＡＮ移動局。
【請求項６】
受信電波強度の値を測定する受信電波強度測定手段と、
前記受信電波強度測定手段により測定した受信電波強度の値と、ハンドオーバの実行基準となる閾値と、を比較し、前記受信電波強度の値が前記閾値以下と判断した際に、ハンドオーバを実行するハンドオーバ実行手段と、を有する無線ＬＡＮ移動局であって、
前記ハンドオーバ実行手段によるハンドオーバを実行した後は、一定期間の間だけ、前記受信電波強度の値が閾値以下となってもハンドオーバの実行を行わないように制御するハンドオーバ実行制御手段を有することを特徴とする無線ＬＡＮ移動局。
【請求項７】
前記受信電波強度測定手段により測定した受信電波強度の値の変動量に応じて、前記一定期間を設定する期間設定手段を有し、
前記ハンドオーバ実行制御手段は、前記期間設定手段により設定された一定期間の間だけ、前記ハンドオーバの実行を行わないように制御することを特徴とする請求項６記載の無線ＬＡＮ移動局。
【請求項８】
前記ハンドオーバ実行制御手段による制御を行うか否かを決定する実行決定手段を有することを特徴とする請求項６記載の無線ＬＡＮ移動局。
【請求項９】
複数の無線ＬＡＮ基地局と、前記無線ＬＡＮ基地局の配下に位置する無線ＬＡＮ移動局と、を有して構成される無線ＬＡＮシステムであって、
前記無線ＬＡＮ移動局は、
受信電波強度の値を測定する受信電波強度測定手段と、
前記受信電波強度測定手段により測定した受信電波強度の値と、ハンドオーバの実行基準となる閾値と、を比較し、前記受信電波強度の値が前記閾値以下と判断した際に、ハンドオーバを実行するハンドオーバ実行手段と、
単位時間当たりのハンドオーバの実行回数を計測する計測手段と、
前記計測手段により計測したハンドオーバの実行回数に応じて、前記閾値を変更する閾値変更手段と、
を有することを特徴とする無線ＬＡＮシステム。
【請求項１０】
前記無線ＬＡＮ移動局は、
前記計測手段により計測したハンドオーバの実行回数が所定の値以上と判断した場合に、前記閾値を所定の値だけ低減させることを特徴とする請求項９記載の無線ＬＡＮシステム。
【請求項１１】
前記無線ＬＡＮ移動局は、
前記閾値を所定の値だけ低減させた後に、前記計測手段により計測したハンドオーバの実行回数が所定の値未満と判断した場合に、前記閾値を初期の閾値に変更、または、所定の値だけ増加させることを特徴とする請求項１０記載の無線ＬＡＮシステム。
【請求項１２】
前記無線ＬＡＮ移動局は、
単位時間当たりのハンドオーバの実行回数と、受信電波強度の値と、を対応付けて管理する管理手段を有し、
前記無線ＬＡＮ移動局は、
前記計測手段により計測したハンドオーバの実行回数を基に、前記管理手段に管理されている前記ハンドオーバの実行回数に対応付けられた受信電波強度の値を取得し、該取得した受信電波強度の値を、前記閾値として変更することを特徴とする請求項９記載の無線ＬＡＮシステム。
【請求項１３】
前記無線ＬＡＮ移動局は、
前記閾値変更手段による前記閾値の変更を行うか否かを決定する閾値変更決定手段を有することを特徴とする請求項９記載の無線ＬＡＮシステム。
【請求項１４】
複数の無線ＬＡＮ基地局と、前記無線ＬＡＮ基地局の配下に位置する無線ＬＡＮ移動局と、を有して構成される無線ＬＡＮシステムであって、
前記無線ＬＡＮ移動局は、
受信電波強度の値を測定する受信電波強度測定手段と、
前記受信電波強度測定手段により測定した受信電波強度の値と、ハンドオーバの実行基準となる閾値と、を比較し、前記受信電波強度の値が前記閾値以下と判断した際に、ハンドオーバを実行するハンドオーバ実行手段と、
前記ハンドオーバ実行手段によるハンドオーバを実行した後は、一定期間の間だけ、前記受信電波強度の値が閾値以下となってもハンドオーバの実行を行わないように制御するハンドオーバ実行制御手段と、を有することを特徴とする無線ＬＡＮシステム。
【請求項１５】
前記無線ＬＡＮ基地局は、
前記受信電波強度測定手段により測定した受信電波強度の値の変動量に応じて、前記一定期間を設定する期間設定手段を有し、
前記ハンドオーバ実行制御手段は、前記期間設定手段により設定された一定期間の間だけ、前記ハンドオーバの実行を行わないように制御することを特徴とする請求項１４記載の無線ＬＡＮシステム。
【請求項１６】
前記無線ＬＡＮ基地局は、
前記ハンドオーバ実行制御手段による制御を行うか否かを決定する実行決定手段を有することを特徴とする請求項１４記載の無線ＬＡＮシステム。
【請求項１７】
受信電波強度の値を測定し、該測定した受信電波強度の値と、ハンドオーバの実行基準となる閾値と、を比較し、前記受信電波強度の値が前記閾値以下と判断した際に、ハンドオーバを実行する無線ＬＡＮ移動局におけるハンドオーバ制御方法であって、
単位時間当たりのハンドオーバの実行回数を計測する計測工程と、
前記計測工程により計測したハンドオーバの実行回数に応じて、前記閾値を変更する閾値変更工程と、
を、前記無線ＬＡＮ移動局が行うことを特徴とするハンドオーバ制御方法。
【請求項１８】
前記閾値変更工程は、
前記計測工程により計測したハンドオーバの実行回数が所定の値以上と判断した場合に、前記閾値を所定の値だけ低減させることを特徴とする請求項１７記載のハンドオーバ制御方法。
【請求項１９】
前記閾値変更工程は、
前記閾値を所定の値だけ低減させた後に、前記計測工程により計測したハンドオーバの実行回数が所定の値未満と判断した場合に、前記閾値を初期の閾値に変更、または、所定の値だけ増加させることを特徴とする請求項１８記載のハンドオーバ制御方法。
【請求項２０】
前記無線ＬＡＮ移動局は、
単位時間当たりのハンドオーバの実行回数と、受信電波強度の値と、を対応付けて管理する管理手段を有し、
前記閾値変更工程は、
前記計測工程により計測したハンドオーバの実行回数を基に、前記管理手段に管理されている前記ハンドオーバの実行回数に対応付けられた受信電波強度の値を取得し、該取得した受信電波強度の値を、前記閾値として変更することを特徴とする請求項１７記載のハンドオーバ制御方法。
【請求項２１】
前記閾値変更工程による前記閾値の変更を行うか否かを決定する閾値変更決定工程を、前記無線ＬＡＮ移動局が行うことを特徴とする請求項１７記載のハンドオーバ制御方法。
【請求項２２】
受信電波強度の値を測定し、該測定した受信電波強度の値と、ハンドオーバの実行基準となる閾値と、を比較し、前記受信電波強度の値が前記閾値以下と判断した際に、ハンドオーバを実行する無線ＬＡＮ移動局におけるハンドオーバ制御方法であって、
前記ハンドオーバを実行した後は、一定期間の間だけ、前記受信電波強度の値が閾値以下となってもハンドオーバの実行を行わないように制御するハンドオーバ実行制御工程を、前記無線ＬＡＮ移動局が行うことを特徴とするハンドオーバ制御方法。
【請求項２３】
前記測定した受信電波強度の値の変動量に応じて、前記一定期間を設定する期間設定工程を、前記無線ＬＡＮ移動局が行い、
前記ハンドオーバ実行制御工程は、
前記期間設定工程により設定された一定期間の間だけ、前記ハンドオーバの実行を行わないように制御することを特徴とする請求項２２記載のハンドオーバ制御方法。
【請求項２４】
前記ハンドオーバ実行制御工程による制御を行うか否かを決定する実行決定工程を、前記無線ＬＡＮ移動局が行うことを特徴とする請求項２２記載のハンドオーバ制御方法。
【請求項２５】
受信電波強度の値を測定し、該測定した受信電波強度の値と、ハンドオーバの実行基準となる閾値と、を比較し、前記受信電波強度の値が前記閾値以下と判断した際に、ハンドオーバを実行する無線ＬＡＮ移動局において実行させるハンドオーバ制御プログラムであって、
単位時間当たりのハンドオーバの実行回数を計測する計測処理と、
前記計測処理により計測したハンドオーバの実行回数に応じて、前記閾値を変更する閾値変更処理と、
を、前記無線ＬＡＮ移動局に実行させることを特徴とするハンドオーバ制御プログラム。
【請求項２６】
前記閾値変更処理は、
前記計測処理により計測したハンドオーバの実行回数が所定の値以上と判断した場合に、前記閾値を所定の値だけ低減させることを特徴とする請求項２５記載のハンドオーバ制御プログラム。
【請求項２７】
前記閾値変更処理は、
前記閾値を所定の値だけ低減させた後に、前記計測処理により計測したハンドオーバの実行回数が所定の値未満と判断した場合に、前記閾値を初期の閾値に変更、または、所定の値だけ増加させることを特徴とする請求項２６記載のハンドオーバ制御プログラム。
【請求項２８】
前記無線ＬＡＮ移動局は、
単位時間当たりのハンドオーバの実行回数と、受信電波強度の値と、を対応付けて管理する管理手段を有し、
前記閾値変更処理は、
前記計測処理により計測したハンドオーバの実行回数を基に、前記管理手段に管理されている前記ハンドオーバの実行回数に対応付けられた受信電波強度の値を取得し、該取得した受信電波強度の値を、前記閾値として変更することを特徴とする請求項２７記載のハンドオーバ制御プログラム。
【請求項２９】
前記閾値変更処理による前記閾値の変更を行うか否かを決定する閾値変更決定処理を、前記無線ＬＡＮ移動局に実行させることを特徴とする請求項２５記載のハンドオーバ制御プログラム。
【請求項３０】
受信電波強度の値を測定し、該測定した受信電波強度の値と、ハンドオーバの実行基準となる閾値と、を比較し、前記受信電波強度の値が前記閾値以下と判断した際に、ハンドオーバを実行する無線ＬＡＮ移動局において実行させるハンドオーバ制御プログラムであって、
前記ハンドオーバを実行した後は、一定期間の間だけ、前記受信電波強度の値が閾値以下となってもハンドオーバの実行を行わないように制御するハンドオーバ実行制御処理を、前記無線ＬＡＮ移動局に実行させることを特徴とするハンドオーバ制御プログラム。
【請求項３１】
前記測定した受信電波強度の値の変動量に応じて、前記一定期間を設定する期間設定処理を、前記無線ＬＡＮ移動局に実行させ、
前記ハンドオーバ実行制御処理は、
前記期間設定処理により設定された一定期間の間だけ、前記ハンドオーバの実行を行わないように制御することを特徴とする請求項３０記載のハンドオーバ制御プログラム。
【請求項３２】
前記ハンドオーバ実行制御処理による制御を行うか否かを決定する実行決定処理を、前記無線ＬＡＮ移動局に実行させることを特徴とする請求項３０記載のハンドオーバ制御プログラム。
【発明の詳細な説明】
【技術分野】
【０００１】
本発明は、複数の無線ＬＡＮ基地局と、無線ＬＡＮ移動局と、を有して構成される無線ＬＡＮシステムに関し、特に、無線ＬＡＮ移動局において実行するハンドオーバの発生頻度を低減することを可能とする無線ＬＡＮ移動局、その無線ＬＡＮ移動局を有して構成される無線ＬＡＮシステム、その無線ＬＡＮ移動局が行うハンドオーバ制御方法及びハンドオーバ制御プログラムに関するものである。
【背景技術】
【０００２】
近年、ＩＥＥＥ（Institute of Electrical and Electronics Engineers）８０２．１１ｘ（ｘは、ａ，ｂ，ｇ等の総称）に代表される無線ＬＡＮ（Local Area Network）システムがユーザに広く利用されている。無線ＬＡＮシステムは、図１に示すように、無線ＬＡＮ移動局（１−１〜Ｎ：Ｎは、任意の整数）と、複数の無線ＬＡＮ基地局（１０−１〜Ｎ）と、集中管理制御装置（２０）と、を有して構成されており、集中管理制御装置（２０）が複数の無線ＬＡＮ基地局（１０−１〜Ｎ）を制御し、無線ＬＡＮ基地局（１０−１〜Ｎ）と、その無線ＬＡＮ基地局（１０−１〜Ｎ）が構築する通信可能エリア（セル）内に存在する無線ＬＡＮ移動局（１−１〜Ｎ）と、の間で通信処理を行うことになる。
【０００３】
なお、図１に示す無線ＬＡＮシステムにおいて、無線ＬＡＮ移動局（１−１〜Ｎ）の利用者が移動し、例えば、図２に示すように、無線ＬＡＮ移動局（１−１）が第１の無線ＬＡＮ基地局（１０−１）と無線通信可能な位置『Ａ』から、第２の無線ＬＡＮ基地局（１０−２）と無線通信可能な位置『Ｂ』に移動し、無線ＬＡＮ移動局（１−１）が第１の無線ＬＡＮ基地局（１０−１）から受信している電波の受信電波強度（ＲＳＳＩ：Received Signal Strength Indicator）が弱くなった場合に、無線ＬＡＮ移動局（１−１）は、ハンドオーバを実行することになる。これにより、無線ＬＡＮ移動局（１−１）は、受信電波強度（ＲＳＳＩ）の弱い第１の無線ＬＡＮ基地局（１０−１）との接続（帰属）を切断し、受信電波強度（ＲＳＳＩ）の高い第２の無線ＬＡＮ基地局（１０−２）との接続（帰属）を行うことになる。
【０００４】
なお、ハンドオーバとは、各無線ＬＡＮ基地局（１０−１〜Ｎ）が構築する通信可能エリア（セル）が複数配置されて構成される無線ＬＡＮエリアにおいて、無線ＬＡＮ移動局（１−１〜Ｎ）が移動し、第１の無線ＬＡＮ基地局（１０−１）が構築する通信可能エリア（セル）から第２の無線ＬＡＮ基地局（１０−２）が構築する通信可能エリア（セル）に移動する際に、無線ＬＡＮ移動局（１−１〜Ｎ）での通信を継続させるようにするための切り替え制御である。
【０００５】
具体的には、図２に示すように、無線ＬＡＮ移動局（１−１）が位置『Ａ』から位置『Ｂ』に移動し、無線ＬＡＮ移動局（１−１）が現在通信中の第１の無線ＬＡＮ基地局（１０−１）から受信している電波の受信電波強度（ＲＳＳＩ：Received Signal Strength Indicator）の値がハンドオーバの実行基準となる閾値以下となった場合に、無線ＬＡＮ移動局（１−１）が、その無線ＬＡＮ移動局（１−１）と接続可能な受信電波強度（ＲＳＳＩ）の強い近隣の第２の無線ＬＡＮ基地局（１０−２）を検索し、受信電波強度（ＲＳＳＩ）の強い第２の無線ＬＡＮ基地局（１０−２）を発見した場合に、その第２の無線ＬＡＮ基地局（１０−２）との通信を行うための調停を行い、第１の無線ＬＡＮ基地局（１０−１）との接続（帰属）から第２の無線ＬＡＮ基地局（１０−２）との接続（帰属）を行うように切り替え制御を行い、無線ＬＡＮ移動局（１−１）での通信を途切れさせないようにする技術である。
【０００６】
なお、無線ＬＡＮ移動局（１−１〜Ｎ）は、ハンドオーバの実行中は、通話中であれば数ｍｓｅｃ程度の音切れが発生することになるため、適切なタイミングでハンドオーバを実行するように構築することが望ましい。
【０００７】
次に、図３を参照しながら、図１に示す無線ＬＡＮシステムにおけるハンドオーバ時の一連の処理動作について説明する。なお、図３は、図１に示す無線ＬＡＮシステムにおけるハンドオーバ時の一例を示す図であり、図１に示す無線ＬＡＮシステムが、ＩＥＥＥ８０２．１１に準拠していることを想定した場合の処理動作を示すものである。
【０００８】
まず、無線ＬＡＮ移動局（１−１〜Ｎ）は、第１の無線ＬＡＮ基地局（１０−１）に対し、Probe Request（プローブ要求）を送信する（ステップＡ１）。第１の無線ＬＡＮ基地局（１０−１）は、無線ＬＡＮ（１−１〜Ｎ）からProbe Request（プローブ要求）を受信すると、無線ＬＡＮ移動局（１−１〜Ｎ）に対し、Probe Response（プローブ応答）を送信する（ステップＡ２）。
【０００９】
無線ＬＡＮ移動局（１−１〜Ｎ）は、Probe Response（プローブ応答）を受信すると、帰属可能な無線ＬＡＮ基地局があることを認識し、その帰属可能な第１の無線ＬＡＮ基地局（１０−１）に対し、Authentication Request（認証要求）を送信する（ステップＡ３）。第１の無線ＬＡＮ基地局（１０−１）は、無線ＬＡＮ移動局（１−１〜Ｎ）からAuthentication Request（認証要求）を受信すると、無線ＬＡＮ移動局（１−１〜Ｎ）に対し、Authentication Response（認証応答）を送信する（ステップＡ４）。
【００１０】
無線ＬＡＮ移動局（１−１〜Ｎ）は、Authentication Response（認証応答）を受信すると、第１の無線ＬＡＮ基地局（１０−１）に対し、Association Request（アソシエーション要求）を送信し、第１の無線ＬＡＮ基地局（１０−１）に対して無線ＬＡＮの帰属要求を行う（ステップＡ５）。第１の無線ＬＡＮ基地局（１０−１）は、無線ＬＡＮ移動局（１−１〜Ｎ）からAssociation Request（アソシエーション要求）を受信すると、無線ＬＡＮ移動局（１−１〜Ｎ）に対し、Association Response（アソシエーション応答）を送信し、無線ＬＡＮ移動局（１−１〜Ｎ）に対し、無線ＬＡＮの帰属を許可することになる（ステップＡ６）。これにより、無線ＬＡＮ移動局（１−１〜Ｎ）は、第１の無線ＬＡＮ基地局（１０−１）と帰属することが可能となり、無線ＬＡＮ移動局（１−１〜Ｎ）と、第１の無線ＬＡＮ基地局（１０−１）と、の間で通信処理を行うことになる（ステップＡ７）。
【００１１】
次に、無線ＬＡＮ移動局（１−１〜Ｎ）は、第１の無線ＬＡＮ基地局（１０−１）から受信している電波の受信電波強度（ＲＳＳＩ）が、ハンドオーバの実行基準となる閾値以下となり、第１の無線ＬＡＮ基地局（１０−１）から受信している電波の受信電波強度（ＲＳＳＩ）が低下したと判断した場合に（ステップＡ８）、無線ＬＡＮ移動局（１−１〜Ｎ）は、ハンドオーバを実行し、受信電波強度（ＲＳＳＩ）の高い電波を発信している無線ＬＡＮ基地局（１０−２〜Ｎ）を検索することになる。この時、無線ＬＡＮ移動局（１−１〜Ｎ）は、ＩＥＥＥ８０２．１１が規定している各無線チャネルに対し、プローブ要求を順次送信し、無線ＬＡＮ基地局のスキャン処理を行うことになる（ステップＡ９）。これにより、第２の無線ＬＡＮ基地局（１０−２）は、無線ＬＡＮ移動局（１−１〜Ｎ）からプローブ要求を受信することになる。
【００１２】
なお、第２の無線ＬＡＮ基地局（１０−２）は、無線ＬＡＮ移動局（１−１〜Ｎ）からプローブ要求を受信すると、無線ＬＡＮ移動局（１−１〜Ｎ）に対し、プローブ応答を送信する（ステップＡ１０）。無線ＬＡＮ移動局（１−１〜Ｎ）は、プローブ応答を受信すると、帰属可能な無線ＬＡＮ基地局があることを認識し、無線ＬＡＮ移動局（１−１〜Ｎ）は、その帰属可能な第２の無線ＬＡＮ基地局（１０−２）に対し、認証要求を送信する（ステップＡ１１）。第２の無線ＬＡＮ基地局（１０−２）は、無線ＬＡＮ移動局（１−１〜Ｎ）から認証要求を受信すると、無線ＬＡＮ移動局（１−１〜Ｎ）に対し、認容応答を送信する（ステップＡ１２）。
【００１３】
無線ＬＡＮ移動局（１−１〜Ｎ）は、第２の無線ＬＡＮ基地局（１０−２）から認容応答を受信すると、第２の無線ＬＡＮ基地局（１０−２）に対し、アソシエーション要求を送信し、第２の無線ＬＡＮ基地局（１０−１）に対し、無線ＬＡＮの帰属要求を行う（ステップＡ１３）。第２の無線ＬＡＮ基地局（１０−２）は、無線ＬＡＮ移動局（１−１〜Ｎ）からアソシエーション要求を受信すると、無線ＬＡＮ移動局（１−１〜Ｎ）に対し、アソシエーション応答を送信し、無線ＬＡＮ移動局（１−１〜Ｎ）に対し、無線ＬＡＮの帰属を許可することになる（ステップＡ１４）。これにより、無線ＬＡＮ移動局（１−１〜Ｎ）は、第２の無線ＬＡＮ基地局（１０−２）と帰属することが可能となり、無線ＬＡＮ移動局（１−１〜Ｎ）と、第２の無線ＬＡＮ基地局（１０−２）と、の間で通信処理を行うことになる（ステップＡ１５）。
【００１４】
このように、無線ＬＡＮ移動局（１−１〜Ｎ）は、第１の無線ＬＡＮ基地局（１０−１）から受信する電波の受信電波強度（ＲＳＳＩ）が、ハンドオーバの実行基準となる閾値以下となり、受信電波強度（ＲＳＳＩ）が低下したと判断した場合に、ハンドオーバを実行し、受信電波強度（ＲＳＳＩ）の高い電波を発信している無線ＬＡＮ基地局（１０−２〜Ｎ）の検索を開始する。そして、他の無線ＬＡＮ基地局（１０−２〜Ｎ）に対してスキャン処理を行い、受信電波強度（ＲＳＳＩ）の高い電波を発信している第２の無線ＬＡＮ基地局（１０−２）を発見した場合に、その受信電波強度（ＲＳＳＩ）の高い第２の無線ＬＡＮ基地局（１０−２）と接続（帰属）処理を行うことになる。
【００１５】
なお、無線ＬＡＮ基地局（１０−１〜Ｎ）を設置する際は、図１、図２に示すように、隣接する無線ＬＡＮ基地局が構築する通信可能エリア（セル）と『重複領域』を形成するように設計することになる。その際、その『重複領域』の受信電波強度（ＲＳＳＩ）の値が、ハンドオーバの実行基準となる閾値（例えば、閾値＝−７４ｄＢｍ〜−６８ｄＢｍ程度）以上となるように設計することが好ましい。
【００１６】
しかしながら、無線ＬＡＮ基地局（１０−１〜Ｎ）を設置する環境条件は、多種多様であり、無線ＬＡＮ基地局（１０−１〜Ｎ）を設置した環境条件に応じて、無線ＬＡＮ移動局（１−１〜Ｎ）が無線ＬＡＮ基地局（１０−１〜Ｎ）から受信する電波の受信電波強度（ＲＳＳＩ）の値が変動し、この受信電波強度（ＲＳＳＩ）の値の変動により、無線ＬＡＮ移動局（１−１〜Ｎ）がハンドオーバを頻繁に実行してしまう虞がある。これは、無線ＬＡＮで使用している電波が、２．４ＧＨｚ／５ＧＨｚの高い周波数で直進性が高い電波であるため、例えば、無線ＬＡＮ基地局（１０−１〜Ｎ）と、無線ＬＡＮ移動局（１−１〜Ｎ）と、の間に障害物などが介在すると、無線ＬＡＮ基地局（１０−１〜Ｎ）から送信された電波がその障害物で遮断され、無線ＬＡＮ移動局（１−１〜Ｎ）が無線ＬＡＮ基地局（１０−１〜Ｎ）から受信する電波の受信電波強度（ＲＳＳＩ）の値が変動し、結果的に、無線ＬＡＮ移動局（１−１〜Ｎ）は、ハンドオーバを実行することになるためである。このため、無線ＬＡＮ移動局（１−１〜Ｎ）の移動に伴う意図的なハンドオーバだけでなく、無線ＬＡＮ移動局（１−１〜Ｎ）自体が移動しなくても、無線ＬＡＮ移動局（１−１〜Ｎ）が無線ＬＡＮ基地局（１０−１〜Ｎ）から受信する電波状況によっては、受信電波強度（ＲＳＳＩ）の値が変動し、頻繁にハンドオーバが発生することになる。
【００１７】
なお、無線ＬＡＮ基地局（１０−１〜Ｎ）を設置する環境条件は、常に変動することになるため、無線ＬＡＮ基地局（１０−１〜Ｎ）を設置する位置等を設計変更しただけでは、無線ＬＡＮ移動局（１−１〜Ｎ）において実行するハンドオーバの発生頻度を軽減することは困難である。このため、無線ＬＡＮ移動局（１−１〜Ｎ）自体の機能を拡張し、ハンドオーバの発生頻度を低減することが好ましい。
【００１８】
なお、本発明より先に出願された技術文献として、複数の無線ＬＡＮ基地局と、これら複数の無線ＬＡＮ基地局の各々の配下に位置し移動する少なくともひとつの無線ＬＡＮ端末とから成り、前記無線ＬＡＮ端末が、受信信号レベルが弱くなった時点で、データ送受信処理と周辺の前記無線ＬＡＮ基地局の受信信号レベルのスキャン処理を時分割で並行して行いながら、前記受信信号レベルの強い無線ＬＡＮ基地局に切替え、無線ＬＡＮ端末が、受信信号レベルが弱くなった時点でハンドオーバー処理を能動的に開始し、データ送受信処理と周辺の無線ＬＡＮ基地局の受信信号レベルのスキャン処理を時分割で並行して行いながら、より受信信号レベルが強い他の無線ＬＡＮ基地局へのハンドオーバーを実行することによって無線ＬＡＮ基地局切替え時間を短縮する無線ＬＡＮハンドオーバー処理方式が開示された文献がある（例えば、特許文献１参照）。
【００１９】
また、送受信アンテナに接続された無線部と、この無線部が測定した電界レベルおよび回線品質のいずれかまたは両方をしきい値と比較して該しきい値以下の場合は、前記無線部にハンドオーバ指示を出力し、このハンドオーバ指示によるハンドオーバを失敗したときは前記しきい値を下げる制御部とを備え、ハンドオーバすべき基地局がない場合には、ハンドオーバ動作の頻度を少なくすることにより、通信品質を高めることを可能とする無線通信装置が開示された文献がある（例えば、特許文献２参照）。
【００２０】
また、複数の通信システムとそれぞれ通信を行う複数の通信手段を有する無線通信端末において、前記各通信手段が基地局から受信する信号の品質判断のしきい値を、前記各通信手段毎に設定するしきい値設定手段と、前記各通信手段が通信可能か否かを前記しきい値に基づいて判断する判断手段と、前記判断手段により、少なくとも２つ以上の通信手段で通信可能であると判断し、かつ該通信手段の１つにおいてハンドオフが発生した場合に、前記しきい値設定手段によって設定された他のしきい値に変更する変更手段と、を有し、ハイブリッド端末において、端末が有する２つの通信システムが両方とも圏内であり、アイドルハンドオフが頻発する場合に、アイドルハンドオフを起こりにくくすることができる無線通信端末が開示された文献がある（例えば、特許文献３参照）。
【００２１】
また、本発明者が開発している無線ＬＡＮシステムについて開示された文献がある（例えば、非特許文献１参照）
【特許文献１】特開２００５−１７５９３２号公報
【特許文献２】ＷＯ９９／３４６２７号
【特許文献３】特開２００５−５１４１６号公報
【非特許文献１】三谷  幸生他４名，無線ＬＡＮシステム「UNIVERGE  WLシリーズ」，ＮＥＣ技報  2005，No.5  Vol．58  pp．58-60
【発明の開示】
【発明が解決しようとする課題】
【００２２】
なお、上記特許文献１には、受信信号レベルが弱くなった時点でハンドオーバ処理を行う点について開示されているが、ハンドオーバが頻繁に発生した際の対処方法については何ら考慮されたものではない。
【００２３】
また、上記特許文献２には、ハンドオーバが失敗した場合に、しきい値を下げ、ハンドオーバすべき基地局がない場合に、ハンドオーバ動作の頻度を少なくし、通信品質を高めることが開示されているが、単位時間当たりのハンドオーバの実行回数を計測し、その計測結果を基に、ハンドオーバの発生頻度を低減することについては何ら考慮されたものではない。また、ハンドオーバの実行基準となる閾値を変更させずに、ハンドオーバの発生頻度を低減することについては何ら考慮されたものではない。
【００２４】
また、上記特許文献３には、アイドルハンドオフ（待ち受け状態における基地局切り替え）が頻発する場合に、アイドルハンドオフを起こりにくくすることを可能とするハイブリッド端末（複数の通信手段を有する無線通信端末）について開示されているが、特許文献３は、待ち受け状態におけるハンドオフ発生回数に基づいてハンドオフの発生頻度を算出しており、単位時間当たりのハンドオーバの実行回数を計測し、その計測結果を基に、ハンドオーバの発生頻度を低減することについては何ら考慮されたものではない。また、ハンドオーバの実行基準となる閾値を変更させずに、ハンドオーバの発生頻度を低減することについては何ら考慮されたものではない。
【００２５】
本発明は、上記事情に鑑みてなされたものであり、ハンドオーバの発生頻度を低減することを可能とする無線ＬＡＮ移動局、無線ＬＡＮシステム、ハンドオーバ制御方法及びハンドオーバ制御プログラムを提供することを目的とするものである。
【課題を解決するための手段】
【００２６】
かかる目的を達成するために、本発明は以下の特徴を有することとする。
【００２７】
本発明にかかる無線ＬＡＮ移動局は、受信電波強度の値を測定する受信電波強度測定手段と、受信電波強度測定手段により測定した受信電波強度の値と、ハンドオーバの実行基準となる閾値と、を比較し、受信電波強度の値が閾値以下と判断した際に、ハンドオーバを実行するハンドオーバ実行手段と、を有する無線ＬＡＮ移動局であって、単位時間当たりのハンドオーバの実行回数を計測する計測手段と、計測手段により計測したハンドオーバの実行回数に応じて、閾値を変更する閾値変更手段と、を有することを特徴とするものである。
【００２８】
また、本発明にかかる無線ＬＡＮ移動局において、閾値変更手段は、計測手段により計測したハンドオーバの実行回数が所定の値以上と判断した場合に、閾値を所定の値だけ低減させることを特徴とするものである。
【００２９】
また、本発明にかかる無線ＬＡＮ移動局において、閾値変更手段は、閾値を所定の値だけ低減させた後に、計測手段により計測したハンドオーバの実行回数が所定の値未満と判断した場合に、閾値を初期の閾値に変更、または、所定の値だけ増加させることを特徴とするものである。
【００３０】
また、本発明にかかる無線ＬＡＮ移動局は、単位時間当たりのハンドオーバの実行回数と、受信電波強度の値と、を対応付けて管理する管理手段を有し、閾値変更手段は、計測手段により計測したハンドオーバの実行回数を基に、管理手段に管理されているハンドオーバの実行回数に対応付けられた受信電波強度の値を取得し、該取得した受信電波強度の値を、閾値として変更することを特徴とするものである。
【００３１】
また、本発明にかかる無線ＬＡＮ移動局は、閾値変更手段による閾値の変更を行うか否かを決定する閾値変更決定手段を有することを特徴とするものである。
【００３２】
また、本発明にかかる無線ＬＡＮ移動局は、受信電波強度の値を測定する受信電波強度測定手段と、受信電波強度測定手段により測定した受信電波強度の値と、ハンドオーバの実行基準となる閾値と、を比較し、受信電波強度の値が閾値以下と判断した際に、ハンドオーバを実行するハンドオーバ実行手段と、を有する無線ＬＡＮ移動局であって、ハンドオーバ実行手段によるハンドオーバを実行した後は、一定期間の間だけ、受信電波強度の値が閾値以下となってもハンドオーバの実行を行わないように制御するハンドオーバ実行制御手段を有することを特徴とするものである。
【００３３】
また、本発明にかかる無線ＬＡＮ移動局は、受信電波強度測定手段により測定した受信電波強度の値の変動量に応じて、一定期間を設定する期間設定手段を有し、ハンドオーバ実行制御手段は、期間設定手段により設定された一定期間の間だけ、ハンドオーバの実行を行わないように制御することを特徴とするものである。
【００３４】
また、本発明にかかる無線ＬＡＮ移動局は、ハンドオーバ実行制御手段による制御を行うか否かを決定する実行決定手段を有することを特徴とするものである。
【００３５】
また、本発明にかかる無線ＬＡＮシステムは、複数の無線ＬＡＮ基地局と、無線ＬＡＮ基地局の配下に位置する無線ＬＡＮ移動局と、を有して構成される無線ＬＡＮシステムであって、無線ＬＡＮ移動局は、受信電波強度の値を測定する受信電波強度測定手段と、受信電波強度測定手段により測定した受信電波強度の値と、ハンドオーバの実行基準となる閾値と、を比較し、受信電波強度の値が閾値以下と判断した際に、ハンドオーバを実行するハンドオーバ実行手段と、単位時間当たりのハンドオーバの実行回数を計測する計測手段と、計測手段により計測したハンドオーバの実行回数に応じて、閾値を変更する閾値変更手段と、を有することを特徴とするものである。
【００３６】
また、本発明にかかる無線ＬＡＮシステムにおいて、無線ＬＡＮ移動局は、計測手段により計測したハンドオーバの実行回数が所定の値以上と判断した場合に、閾値を所定の値だけ低減させることを特徴とするものである。
【００３７】
また、本発明にかかる無線ＬＡＮシステムにおいて、無線ＬＡＮ移動局は、閾値を所定の値だけ低減させた後に、計測手段により計測したハンドオーバの実行回数が所定の値未満と判断した場合に、閾値を初期の閾値に変更、または、所定の値だけ増加させることを特徴とするものである。
【００３８】
また、本発明にかかる無線ＬＡＮシステムにおいて、無線ＬＡＮ移動局は、単位時間当たりのハンドオーバの実行回数と、受信電波強度の値と、を対応付けて管理する管理手段を有し、無線ＬＡＮ移動局は、計測手段により計測したハンドオーバの実行回数を基に、管理手段に管理されているハンドオーバの実行回数に対応付けられた受信電波強度の値を取得し、該取得した受信電波強度の値を、閾値として変更することを特徴とするものである。
【００３９】
また、本発明にかかる無線ＬＡＮシステムにおいて、無線ＬＡＮ移動局は、閾値変更手段による閾値の変更を行うか否かを決定する閾値変更決定手段を有することを特徴とするものである。
【００４０】
また、本発明にかかる無線ＬＡＮシステムは、複数の無線ＬＡＮ基地局と、無線ＬＡＮ基地局の配下に位置する無線ＬＡＮ移動局と、を有して構成される無線ＬＡＮシステムであって、無線ＬＡＮ移動局は、受信電波強度の値を測定する受信電波強度測定手段と、受信電波強度測定手段により測定した受信電波強度の値と、ハンドオーバの実行基準となる閾値と、を比較し、受信電波強度の値が閾値以下と判断した際に、ハンドオーバを実行するハンドオーバ実行手段と、ハンドオーバ実行手段によるハンドオーバを実行した後は、一定期間の間だけ、受信電波強度の値が閾値以下となってもハンドオーバの実行を行わないように制御するハンドオーバ実行制御手段と、を有することを特徴とするものである。
【００４１】
また、本発明にかかる無線ＬＡＮシステムにおいて、無線ＬＡＮ基地局は、受信電波強度測定手段により測定した受信電波強度の値の変動量に応じて、一定期間を設定する期間設定手段を有し、ハンドオーバ実行制御手段は、期間設定手段により設定された一定期間の間だけ、ハンドオーバの実行を行わないように制御することを特徴とするものである。
【００４２】
また、本発明にかかる無線ＬＡＮシステムにおいて、無線ＬＡＮ基地局は、ハンドオーバ実行制御手段による制御を行うか否かを決定する実行決定手段を有することを特徴とするものである。
【００４３】
また、本発明にかかるハンドオーバ制御方法は、受信電波強度の値を測定し、該測定した受信電波強度の値と、ハンドオーバの実行基準となる閾値と、を比較し、受信電波強度の値が閾値以下と判断した際に、ハンドオーバを実行する無線ＬＡＮ移動局におけるハンドオーバ制御方法であって、単位時間当たりのハンドオーバの実行回数を計測する計測工程と、計測工程により計測したハンドオーバの実行回数に応じて、閾値を変更する閾値変更工程と、を、無線ＬＡＮ移動局が行うことを特徴とするものである。
【００４４】
また、本発明にかかるハンドオーバ制御方法において、閾値変更工程は、計測工程により計測したハンドオーバの実行回数が所定の値以上と判断した場合に、閾値を所定の値だけ低減させることを特徴とするものである。
【００４５】
また、本発明にかかるハンドオーバ制御方法において、閾値変更工程は、閾値を所定の値だけ低減させた後に、計測工程により計測したハンドオーバの実行回数が所定の値未満と判断した場合に、閾値を初期の閾値に変更、または、所定の値だけ増加させることを特徴とするものである。
【００４６】
また、本発明にかかるハンドオーバ制御方法において、無線ＬＡＮ移動局は、単位時間当たりのハンドオーバの実行回数と、受信電波強度の値と、を対応付けて管理する管理手段を有し、閾値変更工程は、計測工程により計測したハンドオーバの実行回数を基に、管理手段に管理されているハンドオーバの実行回数に対応付けられた受信電波強度の値を取得し、該取得した受信電波強度の値を、閾値として変更することを特徴とするものである。
【００４７】
また、本発明にかかるハンドオーバ制御方法は、閾値変更工程による閾値の変更を行うか否かを決定する閾値変更決定工程を、無線ＬＡＮ移動局が行うことを特徴とするものである。
【００４８】
また、本発明にかかるハンドオーバ制御方法は、受信電波強度の値を測定し、該測定した受信電波強度の値と、ハンドオーバの実行基準となる閾値と、を比較し、受信電波強度の値が閾値以下と判断した際に、ハンドオーバを実行する無線ＬＡＮ移動局におけるハンドオーバ制御方法であって、ハンドオーバを実行した後は、一定期間の間だけ、受信電波強度の値が閾値以下となってもハンドオーバの実行を行わないように制御するハンドオーバ実行制御工程を、無線ＬＡＮ移動局が行うことを特徴とするものである。
【００４９】
また、本発明にかかるハンドオーバ制御方法は、測定した受信電波強度の値の変動量に応じて、一定期間を設定する期間設定工程を、無線ＬＡＮ移動局が行い、ハンドオーバ実行制御工程は、期間設定工程により設定された一定期間の間だけ、ハンドオーバの実行を行わないように制御することを特徴とするものである。
【００５０】
また、ハンドオーバ制御方法は、ハンドオーバ実行制御工程による制御を行うか否かを決定する実行決定工程を、無線ＬＡＮ移動局が行うことを特徴とするものである。
【００５１】
また、本発明にかかるハンドオーバ制御プログラムは、受信電波強度の値を測定し、該測定した受信電波強度の値と、ハンドオーバの実行基準となる閾値と、を比較し、受信電波強度の値が閾値以下と判断した際に、ハンドオーバを実行する無線ＬＡＮ移動局において実行させるハンドオーバ制御プログラムであって、単位時間当たりのハンドオーバの実行回数を計測する計測処理と、計測処理により計測したハンドオーバの実行回数に応じて、閾値を変更する閾値変更処理と、を、無線ＬＡＮ移動局に実行させることを特徴とするものである。
【００５２】
また、本発明にかかるハンドオーバ制御プログラムにおいて、閾値変更処理は、計測処理により計測したハンドオーバの実行回数が所定の値以上と判断した場合に、閾値を所定の値だけ低減させることを特徴とするものである。
【００５３】
また、本発明にかかるハンドオーバ制御プログラムにおいて、閾値変更処理は、閾値を所定の値だけ低減させた後に、計測処理により計測したハンドオーバの実行回数が所定の値未満と判断した場合に、閾値を初期の閾値に変更、または、所定の値だけ増加させることを特徴とするものである。
【００５４】
また、本発明にかかるハンドオーバ制御プログラムにおいて、無線ＬＡＮ移動局は、単位時間当たりのハンドオーバの実行回数と、受信電波強度の値と、を対応付けて管理する管理手段を有し、閾値変更処理は、計測処理により計測したハンドオーバの実行回数を基に、管理手段に管理されているハンドオーバの実行回数に対応付けられた受信電波強度の値を取得し、該取得した受信電波強度の値を、閾値として変更することを特徴とするものである。
【００５５】
また、本発明にかかるハンドオーバ制御プログラムは、閾値変更処理による閾値の変更を行うか否かを決定する閾値変更決定処理を、無線ＬＡＮ移動局に実行させることを特徴とするものである。
【００５６】
また、本発明にかかるハンドオーバ制御プログラムは、受信電波強度の値を測定し、該測定した受信電波強度の値と、ハンドオーバの実行基準となる閾値と、を比較し、受信電波強度の値が閾値以下と判断した際に、ハンドオーバを実行する無線ＬＡＮ移動局において実行させるハンドオーバ制御プログラムであって、ハンドオーバを実行した後は、一定期間の間だけ、受信電波強度の値が閾値以下となってもハンドオーバの実行を行わないように制御するハンドオーバ実行制御処理を、無線ＬＡＮ移動局に実行させることを特徴とするものである。
【００５７】
また、本発明にかかるハンドオーバ制御プログラムは、測定した受信電波強度の値の変動量に応じて、一定期間を設定する期間設定処理を、無線ＬＡＮ移動局に実行させ、ハンドオーバ実行制御処理は、期間設定処理により設定された一定期間の間だけ、ハンドオーバの実行を行わないように制御することを特徴とするものである。
【００５８】
また、本発明にかかるハンドオーバ制御プログラムは、ハンドオーバ実行制御処理による制御を行うか否かを決定する実行決定処理を、無線ＬＡＮ移動局に実行させることを特徴とするものである。
【発明の効果】
【００５９】
本発明は、単位時間当たりのハンドオーバの実行回数を計測し、その計測したハンドオーバの実行回数に応じて、ハンドオーバの実行基準となる閾値を変更することを特徴とする。これにより、ハンドオーバの発生頻度を低減することが可能となる。
【００６０】
また、本発明は、ハンドオーバを実行した後は、一定期間の間だけ、受信電波強度の値が閾値以下となってもハンドオーバの実行を行わないように制御することを特徴とする。これにより、ハンドオーバの発生頻度を低減することが可能となる。
【発明を実施するための最良の形態】
【００６１】
まず、図１を参照しながら、本実施形態における無線ＬＡＮシステムの特徴について説明する。
【００６２】
本実施形態における無線ＬＡＮシステムは、複数の無線ＬＡＮ基地局（１０−１〜Ｎ：Ｎは、任意の整数）と、無線ＬＡＮ基地局（１０−１〜Ｎ）の配下に位置する無線ＬＡＮ移動局（１−１〜Ｎ）と、を有して構成される無線ＬＡＮシステムである。なお、本実施形態における無線ＬＡＮ移動局（１−１〜Ｎ）は、その無線ＬＡＮ移動局（１−１〜Ｎ）と帰属している無線ＬＡＮ基地局（１０−１〜Ｎ）から受信する受信電波強度（ＲＳＳＩ）の値が、ハンドオーバの実行基準となる閾値以下と判断した際に、ハンドオーバを実行することになり、無線ＬＡＮ移動局（１−１〜Ｎ）は、単位時間当たりのハンドオーバの実行回数を計測し、その計測したハンドオーバの実行回数に応じて、ハンドオーバの実行基準となる閾値を変更するように制御する。これにより、ハンドオーバの実行をし難くし、ハンドオーバの発生頻度を低減することが可能となる。
【００６３】
また、本実施形態における無線ＬＡＮ移動局（１−１〜Ｎ）は、ハンドオーバを実行した後は、一定期間の間だけ、その無線ＬＡＮ移動局（１−１〜Ｎ）と帰属している無線ＬＡＮ基地局（１０−１〜Ｎ）から受信する受信電波強度（ＲＳＳＩ）の値が、ハンドオーバの実行基準となる閾値以下となってもハンドオーバの実行を行わないように制御することを特徴とする。これにより、ハンドオーバの発生頻度を低減することが可能となる。以下、添付図面を参照しながら、本実施形態における無線ＬＡＮシステムについて詳細に説明する。
【００６４】
（第１の実施形態）
まず、図１を参照しながら、本実施形態における無線ＬＡＮシステムのシステム構成について説明する。
【００６５】
本実施形態における無線ＬＡＮシステムは、図１に示すように、無線ＬＡＮ移動局（１−１〜Ｎ：Ｎは、任意の整数）と、複数の無線ＬＡＮ基地局（１０−１〜Ｎ）と、集中管理制御装置（２０）と、を有して構成される。
【００６６】
＜集中管理制御装置２０＞
集中管理制御装置（２０）は、複数の無線ＬＡＮ基地局（１０−１〜Ｎ）を統括して制御するものであり、各無線ＬＡＮ基地局（１０−１〜Ｎ）の各種設定を行うことになる。
【００６７】
＜無線ＬＡＮ基地局１０−１〜Ｎ＞
無線ＬＡＮ基地局（１０−１〜Ｎ）は、集中管理制御装置（２０）の制御下の基に、無線ＬＡＮ移動局（１−１〜Ｎ）との間で情報の送受信を行うものである。以下、図４を参照しながら、無線ＬＡＮ基地局（１０−１〜Ｎ）の内部構成について説明する。
【００６８】
無線ＬＡＮ基地局（１０−１〜Ｎ）は、図４に示すように、通信部（１０１）と、制御部（１０２）と、記憶部（１０３）と、アンテナ（１０４）と、を有して構成される。
【００６９】
通信部（１０１）は、集中管理制御装置（２０）との間で情報の送受信を行ったり、アンテナ（１０４）を介して無線ＬＡＮ移動局（１−１〜Ｎ）との間で無線回線を確立し、任意の周波数で情報の送受信を行ったりするものである。また、通信部（１０１）は、他の無線ＬＡＮ基地局との間で情報の送受信を行うことも可能である。制御部（１０２）は、無線ＬＡＮ基地局内を統括して制御するものである。記憶部（１０３）は、無線ＬＡＮ基地局の各種設定値を記憶したり、通信部（１０１）を介して送受信される情報を一時的に蓄積したりするものである。なお、記憶部（１０３）に記憶される各種設定値とは、無線チャネルやサービス識別子（ＳＳＩＤ:Service Set IDentifier）等が挙げられる。
【００７０】
＜無線ＬＡＮ移動局１−１〜Ｎ＞
無線ＬＡＮ移動局（１−１〜Ｎ）は、無線ＬＡＮ基地局（１０−１〜Ｎ）との間で情報の送受信を行うものである。以下、図５を参照しながら、無線ＬＡＮ移動局（１−１〜Ｎ）の内部構成について説明する。
【００７１】
無線ＬＡＮ移動局（１−１〜Ｎ）は、図５に示すように、通信部（２０１）と、制御部（２０２）と、記憶部（２０３）と、操作部（２０４）と、電波強度測定部（２０５）と、カウンタ（２０６）と、アンテナ（２０７）と、を有して構成される。
【００７２】
通信部（２０１）は、アンテナ（２０７）を介して無線ＬＡＮ基地局（１０−１〜Ｎ）との間で無線回線を確立し、任意の周波数で情報の送受信を行うものである。制御部（２０２）は、無線ＬＡＮ移動局内を統括して制御するものである。
【００７３】
記憶部（２０３）は、無線ＬＡＮ移動局の各種設定値を記憶したり、通信部（２０１）を介して送受信される情報を一時的に蓄積したりするものである。また、記憶部（２０３）には、ハンドオーバを実行するか否かを決定するための基準となる受信電波強度（ＲＳＳＩ）の閾値が設定記憶されている。
【００７４】
操作部（２０４）は、記憶部（２０３）に記憶する各種設定値を設定するための情報を入力したり、無線ＬＡＮ移動局における各種制御を実行するためのコマンド情報を入力したりするものである。
【００７５】
電波強度測定部（２０５）は、通信部（２０１）が受信する無線信号の受信電波強度（ＲＳＳＩ）を測定するものである。
【００７６】
カウンタ（２０６）は、無線ＬＡＮ移動局において実行したハンドオーバの実行回数をカウントし、該カウントしたハンドオーバの実行回数を基に、単位時間当たりのハンドオーバの実行回数を計測するものである。
【００７７】
次に、図６を参照しながら、無線ＬＡＮ移動局（１−１〜Ｎ）における制御動作について説明する。なお、図６は、ハンドオーバの発生頻度を低減する際の制御動作を示す図である。
【００７８】
まず、本実施形態における無線ＬＡＮ移動局（１−１〜Ｎ）が図６に示す制御動作を行う前提として、電波強度測定部（２０５）は、帰属中の無線ＬＡＮ基地局（１０−１〜Ｎ）から受信する電波の受信電波強度（ＲＳＳＩ）の値を常に測定監視し、その受信電波強度（ＲＳＳＩ）の値が、記憶部（２０３）に設定記憶されている閾値以下になったと判断した際に、制御部（２０２）にその旨の情報を通知する。そして、制御部（２０２）は、受信電波強度（ＲＳＳＩ）の値が所定の閾値以下である旨の情報を電波強度測定部（２０５）から受信すると、制御部（２０２）は、帰属中の無線ＬＡＮ基地局（１０−１〜Ｎ）から受信する電波の受信電波強度（ＲＳＳＩ）が低下したと判断し、制御部（２０２）は、ハンドオーバを実行し、現在帰属している無線ＬＡＮ基地局に隣接している他の無線ＬＡＮ基地局に対してスキャン処理を行うことになる。
【００７９】
また、カウンタ（２０６）は、ハンドオーバの実行回数をカウントし、そのカウントした実行回数を基に、単位時間当たりのハンドオーバの実行回数を計測し、その計測した単位時間当たりのハンドオーバの実行回数を制御部（２０２）に通知することになる。
【００８０】
まず、制御部（２０２）は、単位時間当たりのハンドオーバの実行回数をカウンタ（２０６）から受信し、単位時間当たりのハンドオーバの実行回数を取得する（ステップＳ１）。次に、制御部（２０２）は、その取得した単位時間当たりのハンドオーバの実行回数が所定の値以上か否かを判断し（ステップＳ２）、単位時間当たりのハンドオーバの実行回数が所定の値以上であると判断した場合は（ステップＳ２／Ｙｅｓ）、制御部（２０２）は、ハンドオーバの実行基準となる閾値を所定の値だけ減算し、その減算した値を、ハンドオーバの実行基準となる閾値として記憶部（２０３）に設定記憶する（ステップＳ３）。
【００８１】
制御部（２０２）は、上述したステップＳ１〜ステップＳ３の処理を、単位時間当たりのハンドオーバの実行回数が所定の値未満となるまで、繰り返し行い、ハンドオーバの実行基準となる閾値を所定の値ずつ段階的に低減させることになる。これにより、無線ＬＡＮ移動局（１−１〜Ｎ）で行うハンドオーバの実行回数を低減することが可能となる。
【００８２】
また、制御部（２０２）は、単位時間当たりのハンドオーバの実行回数が所定の値以上でないと判断した場合は（ステップＳ２／Ｎｏ）、制御部（２０２）は、ハンドオーバの実行基準となる閾値を変更したか否かを判断し（ステップＳ４）、閾値を変更したと判断した場合は（ステップＳ４／Ｙｅｓ）、制御部（２０２）は、その変更した閾値を、最初に規定されている初期の閾値（初期値）に変更することになる（ステップＳ５）。これにより、記憶部（２０３）に設定記憶されているハンドオーバの実行基準となる閾値を初期値に戻すことが可能となる。なお、ステップＳ４において、閾値を変更していないと判断した場合は（ステップＳ４／Ｎｏ）、ステップＳ１に戻り、上述した処理を再び行うことになる。
【００８３】
なお、図６に示す制御動作は、単位時間当たりのハンドオーバの実行回数が所定の値未満を維持し続ける場合には、ステップＳ１→ステップＳ２／Ｎｏ→ステップＳ４／Ｎｏの処理を繰り返すことになり、ハンドオーバの実行基準となる閾値を変更しないことになる。
【００８４】
また、単位時間当たりのハンドオーバの実行回数が所定の値以上を維持し続ける場合には、ステップＳ１→ステップＳ２／Ｙｅｓ→ステップＳ３の処理を繰り返し、ハンドオーバの実行基準となる閾値を所定の値ずつ低減させ、ハンドオーバの実行をし難くすることになる。
【００８５】
また、単位時間当たりのハンドオーバの実行回数が所定の値以上となり、ハンドオーバの実行基準となる閾値を所定の値ずつ低減させ、ハンドオーバの実行をし難くし、その後、単位時間当たりのハンドオーバの実行回数が所定の値未満となる場合には、ステップＳ１→ステップＳ２／Ｙｅｓ→ステップＳ３の処理を繰り返し、ハンドオーバの実行をし難くし、ステップＳ２においてハンドオーバの実行回数が所定の値未満と判断した場合に（ステップＳ２／Ｎｏ）、ステップＳ５において閾値を初期値に戻すことになる。
【００８６】
このように、本実施形態における無線ＬＡＮシステムは、無線ＬＡＮ移動局（１−１〜Ｎ）が、カウンタ（２０６）により計測した単位時間当たりのハンドオーバの実行回数が所定の値以上と判断した場合に、ハンドオーバの実行基準となる閾値を所定の値ずつ段階的に低減させるように制御することで、ハンドオーバの実行をし難くし、無線ＬＡＮ移動局（１−１〜Ｎ）におけるハンドオーバの発生頻度を低減することが可能となる。
【００８７】
即ち、従来は、無線ＬＡＮ移動局（１−１〜Ｎ）に設定記憶されているハンドオーバの実行基準となる閾値が固定の値に設定されていたため、無線ＬＡＮ基地局（１０−１〜Ｎ）から受信する電波の受信電波強度（ＲＳＳＩ）の値が変動した場合には、その受信電波強度（ＲＳＳＩ）の値がハンドオーバの実行基準となる閾値以下になることが多く、ハンドオーバを頻繁に実行してしまう状況があった。
【００８８】
これに対し、本実施形態のように、無線ＬＡＮ移動局（１−１〜Ｎ）が実行した単位時間当たりのハンドオーバの実行回数が所定の値以上と判断した場合に、ハンドオーバの実行基準となる閾値を所定の値ずつ段階的に低減させるように制御することで、無線ＬＡＮ基地局（１０−１〜Ｎ）から受信する電波の受信電波強度（ＲＳＳＩ）の値の変動によっても、その受信電波強度（ＲＳＳＩ）の値がハンドオーバの実行基準となる閾値以下となることを抑制することが可能となるため、ハンドオーバの実行をし難くし、無線ＬＡＮ移動局（１−１〜Ｎ）におけるハンドオーバの発生頻度を低減することが可能となる。
【００８９】
なお、上述した図６に示す一連の処理動作は、ステップＳ２において、単位時間当たりのハンドオーバの実行回数が所定の値以上と判断した場合に（ステップＳ２／Ｙｅｓ）、ステップＳ３において、ハンドオーバの実行基準となる閾値を所定の値だけ低減させ、再びステップＳ２に戻り、単位時間当たりのハンドオーバの実行回数が所定の値未満と判断した場合には（ステップＳ２／Ｎｏ）、ステップＳ５において、ハンドオーバの実行基準となる閾値を初期値に戻すことにしたが、図７に示すように、ステップＳ２において、単位時間当たりのハンドオーバの実行回数が所定の値以上と判断した場合に（ステップＳ２／Ｙｅｓ）、ステップＳ３において、ハンドオーバの実行基準となる閾値を所定の値だけ低減させ、再びステップＳ２に戻り、単位時間当たりのハンドオーバの実行回数が所定の値未満と判断した場合には（ステップＳ２／Ｎｏ）、ステップＳ５において、ハンドオーバの実行基準となる閾値を所定の値だけ増加させ、ステップＳ２において、単位時間当たりのハンドオーバの実行回数が所定の値未満と判断し続ける場合には（ステップＳ２／Ｎｏ）、ステップＳ５において、ハンドオーバの実行基準となる閾値を所定の値ずつ段階的に増加させ、最終的に初期値に戻すように構築することも可能である。これにより、図６に示すように、実行回数が所定の値未満と判断し（ステップＳ２／Ｎｏ）、且つ、閾値の変更を行ったと判断した場合に（ステップＳ４／Ｙｅｓ）、ステップＳ５において、一度の処理で閾値を初期値に戻すのではなく、図７に示すように、実行回数が所定の値未満と判断し（ステップＳ２／Ｎｏ）、且つ、閾値の変更を行ったと判断した場合に（ステップＳ４／Ｙｅｓ）、ステップＳ５において、所定の値ずつ段階的に閾値を増加させて複数の処理で閾値を初期値に戻すようにすることが可能となるため、実行回数が所定の値以上と判断した際に（ステップＳ２／Ｙｅｓ）、ハンドオーバの実行をし難くするために行うステップＳ３の処理回数を図６に示す処理よりも低減させることが可能となる。
【００９０】
また、図６に示すように、一度の処理で閾値を初期値に戻すのではなく、図７に示すように、所定の値ずつ段階的に閾値を増加させることで、初期値よりも低い値の閾値を段階的に設定し、ハンドオーバの実行し難くさせる期間を長くすることが可能となるため、ハンドオーバの発生頻度を更に低減することが可能となる。
【００９１】
なお、上述した図６、図７に示す処理動作では、カウンタ（２０６）において単位時間当たりのハンドオーバの実行回数を計測することにしたが、制御部（２０２）において単位時間当たりのハンドオーバの実行回数を算出するように構築することも可能である。また、無線ＬＡＮ移動局（１−１〜Ｎ）において、上述した図６、図７に示す一連の処理動作が実行可能であれば、無線ＬＡＮ移動局（１−１〜Ｎ）のハード構成については特に限定しないものとする。また、上述した図６、図７に示す一連の処理動作を実行するか否かを操作部（２０４）からの操作により設定するように構築することも可能である。これにより、図６、図７に示す一連の処理動作を実行するか否かを操作者が任意に設定することが可能となる。
【００９２】
（第２の実施形態）
次に、第２の実施形態について説明する。
【００９３】
第２の実施形態における無線ＬＡＮシステムは、無線ＬＡＮ移動局（１−１〜Ｎ）が、図８に示すように、『単位時間当たりのハンドオーバの実行回数』と、ハンドオーバの実行基準となる『受信電波強度（ＲＳＳＩ）の値』と、を対応付けて管理する管理テーブル（２０８）を有し、無線ＬＡＮ移動局（１−１〜Ｎ）は、この管理テーブル（２０８）を基に、ハンドオーバの実行基準となる閾値を変更することを特徴とする。
【００９４】
なお、管理テーブル（２０８）は、単位時間当たりのハンドオーバの実行回数が多い程、低い受信電波強度（ＲＳＳＩ）の値と対応付けて単位時間当たりのハンドオーバの実行回数を管理することになる。これにより、無線ＬＡＮ移動局（１−１〜Ｎ）は、カウンタ（２０６）において計測した単位時間当たりのハンドオーバの実行回数を基に、図８に示す管理テーブル（２０８）を参照し、カウンタ（２０６）において計測した単位時間当たりのハンドオーバの実行回数に対応付けられた受信電波強度（ＲＳＳＩ）の値を検索取得し、その検索取得した受信電波強度（ＲＳＳＩ）の値を、ハンドオーバの実行基準となる閾値として記憶部（２０３）に設定変更し、カウンタ（２０６）において計測した単位時間当たりのハンドオーバの実行回数が多い程、低い受信電波強度（ＲＳＳＩ）の値を、閾値として設定変更することになる。これにより、無線ＬＡＮ移動局（１−１〜Ｎ）は、無線ＬＡＮ移動局（１−１〜Ｎ）において単位時間当たりに実行したハンドオーバの実行回数が多い程、低い受信電波強度（ＲＳＳＩ）の値を閾値として変更することが可能となるため、ハンドオーバの実行をし難くし、ハンドオーバの発生頻度を低減することが可能となる。以下、図８〜図１０を参照しながら、第２の実施形態における無線ＬＡＮシステムについて説明する。なお、第２の実施形態における無線ＬＡＮシステムは、図１に示す第１の実施形態における無線ＬＡＮシステムと同様なシステム構成となる。
【００９５】
まず、図９を参照しながら、第２の実施形態における無線ＬＡＮシステムを構成する無線ＬＡＮ移動局（１−１〜Ｎ）の内部構成について説明する。
【００９６】
第２の実施形態における無線ＬＡＮ移動局（１−１〜Ｎ）は、図９に示すように、通信部（２０１）と、制御部（２０２）と、記憶部（２０３）と、操作部（２０４）と、電波強度測定部（２０５）と、カウンタ（２０６）と、アンテナ（２０７）と、を有し、記憶部（２０３）は、図８に示す管理テーブル（２０８）を格納管理していることを特徴とする。なお、各部の機能については、第１の実施形態における無線ＬＡＮ移動局（１−１〜Ｎ）と同様である。
【００９７】
なお、図８に示す管理テーブル（２０８）は、ハンドオーバの実行基準となる閾値の変更制御を実行したい場合の『単位時間当たりのハンドオーバの実行回数』の範囲を管理することになり、カウンタ（２０６）において計測した単位時間当たりのハンドオーバの実行回数が、管理テーブル（２０８）にて管理されている『単位時間当たりのハンドオーバの実行回数』の範囲に該当する場合には、ハンドオーバの実行基準となる閾値を変更することになる。
【００９８】
また、管理テーブル（２０８）は、『単位時間当たりのハンドオーバの実行回数』が多い程、低い『受信電波強度（ＲＳＳＩ）の値』と対応付けて『単位時間当たりのハンドオーバの実行回数』を管理することになる。これにより、カウンタ（２０６）において計測した単位時間当たりのハンドオーバの実行回数が多い程、低い『受信電波強度（ＲＳＳＩ）の値』をハンドオーバの実行基準となる閾値として設定変更することが可能となる。なお、管理テーブル（２０８）にて管理する情報は、操作部（２０４）からの操作により任意に設定変更することは可能である。
【００９９】
次に、図１０を参照しながら、無線ＬＡＮ移動局（１−１〜Ｎ）における制御動作について説明する。なお、図１０は、ハンドオーバの発生頻度を低減する際の制御動作を示す図である。
【０１００】
まず、第２の実施形態における無線ＬＡＮ移動局（１−１〜Ｎ）が、図１０に示す制御動作を行う前提として、第１の実施形態と同様に、電波強度測定部（２０５）は、帰属中の無線ＬＡＮ基地局（１０−１〜Ｎ）から受信する信号の受信電波強度（ＲＳＳＩ）の値を常に測定監視し、その受信電波強度（ＲＳＳＩ）の値が、記憶部（２０３）に設定記憶されている閾値以下になったと判断した際に、制御部（２０２）にその旨の情報を通知する。そして、制御部（２０２）は、受信電波強度（ＲＳＳＩ）の値が所定の閾値以下である旨の情報を電波強度測定部（２０５）から受信すると、制御部（２０２）は、帰属中の無線ＬＡＮ基地局（１０−１〜Ｎ）から受信する電波の受信電波強度（ＲＳＳＩ）が低下したと判断し、制御部（２０２）は、ハンドオーバを実行し、現在帰属している無線ＬＡＮ基地局に隣接している他の無線ＬＡＮ基地局に対してスキャン処理を行うことになる。
【０１０１】
また、カウンタ（２０６）は、ハンドオーバの実行回数をカウントし、そのカウントした実行回数を基に、単位時間当たりのハンドオーバの実行回数を計測し、その計測した単位時間当たりのハンドオーバの実行回数を制御部（２０２）に通知することになる。
【０１０２】
まず、制御部（２０２）は、単位時間当たりのハンドオーバの実行回数をカウンタ（２０６）から受信し、単位時間当たりのハンドオーバの実行回数を取得する（ステップＳ１１）。次に、制御部（２０２）は、ステップＳ１１にて取得した単位時間当たりのハンドオーバの実行回数を基に、管理テーブル（２０８）を参照し、ステップＳ１１にて取得した単位時間当たりのハンドオーバの実行回数が、管理テーブル（２０８）に管理されている『単位時間当たりのハンドオーバの実行回数』の範囲に該当するか否かを判断する（ステップＳ１２）。
【０１０３】
制御部（２０２）は、ステップＳ１１にて取得した単位時間当たりのハンドオーバの実行回数が、管理テーブル（２０８）に管理されている『単位時間当たりのハンドオーバの実行回数』の範囲に該当すると判断した場合には（ステップＳ１２／Ｙｅｓ）、制御部（２０２）は、ステップＳ１１にて取得した単位時間当たりのハンドオーバの実行回数を基に、管理テーブル（２０８）から『受信電波強度（ＲＳＳＩ）の値』を取得し（ステップＳ１３）、その取得した『受信電波強度（ＲＳＳＩ）の値』を、ハンドオーバの実行基準となる閾値として記憶部（２０３）に設定変更する（ステップＳ１４）。
【０１０４】
制御部（２０２）は、上述したステップＳ１１〜ステップＳ１４の処理を、カウンタ（２０６）において計測した単位時間当たりのハンドオーバの実行回数が、管理テーブル（２０８）に管理されている『単位時間当たりのハンドオーバの実行回数』の範囲に該当しないと判断するまで行うことになる。
【０１０５】
なお、管理テーブル（２０８）は、『単位時間当たりのハンドオーバの実行回数』が多い程、低い『受信電波強度（ＲＳＳＩ）の値』と対応付けて『単位時間当たりのハンドオーバの実行回数』を管理することになる。
【０１０６】
このため、制御部（２０２）は、カウンタ（２０６）において計測した単位時間当たりのハンドオーバの実行回数が多い程、低い『受信電波強度（ＲＳＳＩ）の値』を管理テーブル（２０８）から取得し、その低い『受信電波強度（ＲＳＳＩ）の値』を、ハンドオーバの実行基準となる閾値として設定変更することになる。これにより、ハンドオーバの実行基準となる閾値を低減させ、ハンドオーバの実行をし難くし、ハンドオーバの発生頻度を低減することが可能となる。
【０１０７】
また、制御部（２０２）は、単位時間当たりのハンドオーバの実行回数を取得し（ステップＳ１１）、その取得した単位時間当たりのハンドオーバの実行回数が、管理テーブル（２０８）に管理されている『単位時間当たりのハンドオーバの実行回数』の範囲に該当しないと判断した場合には（ステップＳ１２／Ｎｏ）、制御部（２０２）は、ステップＳ１１にて取得した単位時間当たりのハンドオーバの実行回数が、管理テーブル（２０８）に管理されている『単位時間当たりのハンドオーバの実行回数』の範囲以上か否かを判断し（ステップＳ１５）、管理テーブル（２０８）に管理されている『単位時間当たりのハンドオーバの実行回数』の範囲以上であると判断した場合は（ステップＳ１５／Ｙｅｓ）、ハンドオーバの実行回数が多いため、エラーと判断し、エラー通知を行い、予め決められた受信電波強度（ＲＳＳＩ）の値を閾値として変更し（ステップＳ１６）、ステップＳ１１に戻り、上述した処理を再び行うことになる。なお、閾値として変更する予め決められた受信電波強度（ＲＳＳＩ）の値としては、ハンドオーバの実行が確実に行われない程度の受信電波強度（ＲＳＳＩ）の値が好ましい。これにより、ハンドオーバの実行回数を低減することが可能となる。
【０１０８】
また、ステップＳ１１にて取得した単位時間当たりのハンドオーバの実行回数が、管理テーブル（２０８）に管理されている『単位時間当たりのハンドオーバの実行回数』の範囲以上でないと判断した場合は（ステップＳ１５／Ｎｏ）、制御部（２０２）は、ハンドオーバの実行基準となる閾値を変更したか否かを判断し（ステップＳ１７）、閾値を変更したと判断した場合には（ステップＳ１７／Ｙｅｓ）、制御部（２０２）は、その変更した閾値を、最初に規定されている初期の閾値（初期値）に変更することになる（ステップＳ１８）。これにより、記憶部（２０３）に設定記憶されているハンドオーバの実行基準となる閾値を初期値に戻すことが可能となる。なお、ステップＳ１７において、閾値を変更していないと判断した場合は（ステップＳ１７／Ｎｏ）、その閾値を変更することなく、ステップＳ１１に戻り、上述した処理を再び行うことになる。
【０１０９】
このように、本実施形態における無線ＬＡＮ移動局（１−１〜Ｎ）は、『単位時間当たりのハンドオーバの実行回数』と、『受信電波強度（ＲＳＳＩ）の値』と、を対応付けて管理する管理テーブル（２０８）を有し、無線ＬＡＮ移動局（１−１〜Ｎ）は、無線ＬＡＮ移動局（１−１〜Ｎ）における単位時間当たりのハンドオーバの実行回数が、管理テーブル（２０８）にて管理されている『単位時間当たりのハンドオーバの実行回数』の範囲に該当するか否かを判断し、無線ＬＡＮ移動局（１−１〜Ｎ）における単位時間当たりのハンドオーバの実行回数が、管理テーブル（２０８）にて管理されている『単位時間当たりのハンドオーバの実行回数』の範囲に該当すると判断した場合には、無線ＬＡＮ移動局（１−１〜Ｎ）は、無線ＬＡＮ移動局（１−１〜Ｎ）における単位時間当たりのハンドオーバの実行回数に該当する『受信電波強度（ＲＳＳＩ）の値』を管理テーブル（２０８）から取得し、その取得した『受信電波強度（ＲＳＳＩ）の値』を、ハンドオーバの実行基準となる閾値として記憶部（２０３）に設定変更することになる。
【０１１０】
しかも、本実施形態における管理テーブル（２０８）は、『単位時間当たりのハンドオーバの実行回数』が多い程、低い『受信電波強度（ＲＳＳＩ）の値』と対応付けて『単位時間当たりのハンドオーバの実行回数』を管理するように構成しているため、無線ＬＡＮ移動局（１−１〜Ｎ）は、無線ＬＡＮ移動局（１−１〜Ｎ）における単位時間当たりのハンドオーバの実行回数が多い程、低い『受信電波強度（ＲＳＳＩ）の値』を管理テーブル（２０８）から取得し、その取得した低い『受信電波強度（ＲＳＳＩ）の値』をハンドオーバの実行基準となる閾値として記憶部（２０３）に設定変更することが可能となるため、ハンドオーバの実行基準となる閾値を低減させ、ハンドオーバの実行をし難くし、無線ＬＡＮ移動局（１−１〜Ｎ）におけるハンドオーバの発生頻度を低減することが可能となる。
【０１１１】
なお、上述した図１０に示す一連の処理動作は、ステップＳ１８において、ハンドオーバの実行基準となる閾値を初期値に戻すことにしたが、図１１に示すように、ステップＳ１８において、ハンドオーバの実行基準となる閾値を所定の値ずつ段階的に増加させ、最終的に初期値に戻すように構築することも可能である。
【０１１２】
なお、上述した図１０、図１１に示す処理動作では、カウンタ（２０６）において単位時間当たりのハンドオーバの実行回数を計測することにしたが、制御部（２０２）において単位時間当たりのハンドオーバの実行回数を算出するように構築することも可能である。また、無線ＬＡＮ移動局（１−１〜Ｎ）において、上述した図１０、図１１に示す一連の処理動作が実行可能であれば、無線ＬＡＮ移動局（１−１〜Ｎ）のハード構成については特に限定しないものとする。また、上述した図１０、図１１に示す一連の処理動作を実行するか否かを操作部（２０４）からの操作により設定するように構築することも可能である。これにより、図１０、図１１に示す一連の処理動作を実行するか否かを操作者が任意に設定することが可能となる。
【０１１３】
（第３の実施形態）
次に、第３の実施形態について説明する。
【０１１４】
第３の実施形態における無線ＬＡＮシステムは、無線ＬＡＮ移動局（１−１〜Ｎ）がハンドオーバを一度実行した後は、一定期間の間だけ、電波強度測定部（２０５）において測定した受信電波強度（ＲＳＳＩ）の値が、記憶部（２０３）に設定記憶されているハンドオーバの実行基準となる閾値になったとしても、ハンドオーバの実行を行わないように制御することを特徴とする。これにより、無線ＬＡＮ移動局（１−１〜Ｎ）におけるハンドオーバの発生頻度を低減することが可能となる。以下、図１２、図１３を参照しながら、第３の実施形態における無線ＬＡＮシステムについて説明する。なお、第３の実施形態における無線ＬＡＮシステムは、図１に示す第１、第２の実施形態における無線ＬＡＮシステムと同様なシステム構成となる。
【０１１５】
まず、図１２を参照しながら、第３の実施形態における無線ＬＡＮシステムを構成する無線ＬＡＮ移動局（１−１〜Ｎ）の内部構成について説明する。
【０１１６】
第３の実施形態における無線ＬＡＮ移動局（１−１〜Ｎ）は、図１２に示すように、通信部（２０１）と、制御部（２０２）と、記憶部（２０３）と、操作部（２０４）と、電波強度測定部（２０５）と、アンテナ（２０７）と、を有して構成される。第３の実施形態における無線ＬＡＮ移動局（１−１〜Ｎ）は、ハンドオーバの実行回数を計測するカウンタ（２０６）を有していないことになる。なお、各部の機能については、第１、第２の実施形態における無線ＬＡＮ移動局（１−１〜Ｎ）と同様である。
【０１１７】
次に、図１３を参照しながら、無線ＬＡＮ移動局（１−１〜Ｎ）における制御動作について説明する。なお、図１３は、ハンドオーバの発生頻度を低減する際の制御動作を示す図である。
【０１１８】
まず、第３の実施形態における無線ＬＡＮ移動局（１−１〜Ｎ）は、電波強度測定部（２０５）が、無線ＬＡＮ移動局（１−１〜Ｎ）と帰属中の無線ＬＡＮ基地局（１０−１〜Ｎ）から受信する電波の受信電波強度（ＲＳＳＩ）を常に測定監視し、その受信電波強度（ＲＳＳＩ）の値が、記憶部（２０３）に設定記憶されている閾値以下になったと判断した際に、制御部（２０２）にその旨の情報を通知する。
【０１１９】
そして、制御部（２０２）は、受信電波強度（ＲＳＳＩ）が所定の閾値以下である旨の情報を電波強度測定部（２０５）から受信すると、制御部（２０２）は、帰属中の無線ＬＡＮ基地局（１０−１〜Ｎ）から受信する電波の受信電波強度（ＲＳＳＩ）が低下したと判断し、制御部（２０２）は、ハンドオーバを実行し、現在帰属している無線ＬＡＮ基地局に隣接している他の無線ＬＡＮ基地局に対してスキャン処理を行うことになる（ステップＳ２１）。
【０１２０】
次に、制御部（２０２）は、受信電波強度（ＲＳＳＩ）が所定の閾値以下である旨の情報を電波強度測定部（２０５）から受信してもハンドオーバを実行しないようにするための無効制御を設定し（ステップＳ２２）、タイマーのカウントを開始する（ステップＳ２３）。
【０１２１】
次に、タイマーをカウントしてから一定の期間が経過したか否かを判定し（ステップＳ２４）、一定の期間が経過したと判断した場合は（ステップＳ２４／Ｙｅｓ）、制御部（２０２）は、無効制御を解除し（ステップＳ２５）、一連の処理動作を終了する。
【０１２２】
このように、第３の実施形態における無線ＬＡＮ移動局（１−１〜Ｎ）は、ハンドオーバを実行した後は、一定期間の間だけ、ハンドオーバの実行を行わないように制御することで、無線ＬＡＮ移動局（１−１〜Ｎ）におけるハンドオーバの発生頻度を低減することが可能となる。
【０１２３】
なお、ハンドオーバの実行を行わないように制御する期間は、任意に設定変更することは可能であり、例えば、図１４に示すような、受信電波強度（ＲＳＳＩ）の値の変動量と、ハンドオーバの実行を行わないように制御する設定期間と、の関係を示す対応テーブルを記憶部（２０３）に格納管理し、電波強度測定部（２０５）において測定した受信電波強度（ＲＳＳＩ）の値の変動量を基に、その記憶部（２０３）に格納管理した図１４に示す対応テーブルを参照し、電波強度測定部（２０５）において測定した受信電波強度（ＲＳＳＩ）の値の変動量に応じた設定期間を取得し、その取得した設定期間を、ハンドオーバの実行を行わないように制御する設定期間として設定変更するように構築することも可能である。
【０１２４】
具体的には、無線ＬＡＮ移動局（１−１〜Ｎ）は、電波強度測定（２０５）において測定した受信電波強度（ＲＳＳＩ）の値を履歴管理し、その履歴管理した受信電波強度（ＲＳＳＩ）の値を基に、ハンドオーバを実行した期間前後における受信電波強度（ＲＳＳＩ）の値の変動量を算出し、その算出した受信電波強度（ＲＳＳＩ）の値の変動量を基に、記憶部（２０３）に格納管理した図１４に示す対応テーブルを参照し、受信電波強度（ＲＳＳＩ）の値の変動量に応じた設定期間を取得し、その取得した設定期間を、ハンドオーバの実行を行わないように制御するための期間として設定変更することになる。これにより、受信電波強度（ＲＳＳＩ）の値の変動量が多い場合には、ハンドオーバの発生頻度が高くなるため、ハンドオーバの実行を行わないように制御する期間を長く設定し、受信電波強度（ＲＳＳＩ）の値の変動量が小さい場合には、ハンドオーバの発生頻度が少なくなるため、ハンドオーバの実行を行わないように制御する期間を短く設定することが可能となる。従って、受信電波強度（ＲＳＳＩ）の値の変動量に応じて、ハンドオーバの実行を行わないように制御する最適な期間を設定することが可能となる。また、図１３に示す一連の処理動作を実行するか否かを操作部（２０４）からの操作により設定するように構築することも可能である。これにより、図１３に示す一連の処理動作を実行するか否かを操作者が任意に設定することが可能となる。
【０１２５】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【０１２６】
例えば、上述した図１０、図１１に示す制御動作において、ステップＳ１６のエラー通知を行った際に、第３の実施形態のように、ハンドオーバの実行を一定期間の間だけ行わないように制御するように構築することも可能である。
【０１２７】
例えば、上述した本実施形態の無線ＬＡＮ移動局（１−１〜Ｎ）における制御動作は、ハード構成ではなく、コンピュータプログラム等のソフトウェアにより実行することも可能であり、また、上記のプログラムは、光記録媒体、磁気記録媒体、光磁気記録媒体、または半導体等の記録媒体に記録し、その記録媒体から上記プログラムを、無線通信が可能な通信装置に読み込ませることで、上述した制御動作を、通信装置において実行させることも可能である。また、所定のネットワークを介して接続されている外部機器から上記プログラムを通信装置に読み込ませることで、上述した制御動作を、通信装置において実行させることも可能である。また、上述した各実施形態における制御動作を適宜組み合わせて複合させることも可能である。
【産業上の利用可能性】
【０１２８】
本発明にかかる無線ＬＡＮ移動局、無線ＬＡＮシステム、ハンドオーバ制御方法及びハンドオーバ制御プログラムは、携帯電話機、ＰＤＡ（Personal Digital Assistance）、ＰＣ（Personal Computer）などの無線通信が可能な通信装置に適用可能である。
【図面の簡単な説明】
【０１２９】
【図１】一般的な無線ＬＡＮシステムのシステム構成を示す図である。
【図２】ハンドオーバを行う際の例を示す図である。
【図３】ハンドオーバを行う際の一連の処理動作を示す図である。
【図４】本実施形態の無線ＬＡＮシステムを構成する無線ＬＡＮ基地局（１０−１〜Ｎ）の内部構成を示す図である。
【図５】本実施形態の無線ＬＡＮシステムを構成する無線ＬＡＮ移動局（１−１〜Ｎ）の内部構成を示す図である。
【図６】第１の実施形態の無線ＬＡＮ移動局（１−１〜Ｎ）における第１の制御動作を示すフロチャートである。
【図７】第１の実施形態の無線ＬＡＮ移動局（１−１〜Ｎ）における第２の制御動作を示すフロチャートである。
【図８】『単位時間当たりのハンドオーバの実行回数』と、無線ＬＡＮ移動局（１−１〜Ｎ）がハンドオーバを実行することになる『受信電波強度（ＲＳＳＩ）の値』と、が対応付けられた管理テーブル（２０８）のテーブル構成を示す図である。
【図９】第２の実施形態の無線ＬＡＮシステムを構成する無線ＬＡＮ移動局（１−１〜Ｎ）の内部構成を示す図である。
【図１０】第２の実施形態の無線ＬＡＮ移動局（１−１〜Ｎ）における第１の制御動作を示すフロチャートである。
【図１１】第２の実施形態の無線ＬＡＮ移動局（１−１〜Ｎ）における第２の制御動作を示すフロチャートである。
【図１２】第３の実施形態の無線ＬＡＮシステムを構成する無線ＬＡＮ移動局（１−１〜Ｎ）の内部構成を示す図である。
【図１３】第３の実施形態の無線ＬＡＮ移動局（１−１〜Ｎ）における制御動作を示すフロチャートである。
【図１４】電波強度測定部（２０５）において測定した受信電波強度（ＲＳＳＩ）の値の変動量と、その受信電波強度（ＲＳＳＩ）の値の変動量の際に設定する設定期間と、の関係を示す図である。
【符号の説明】
【０１３０】
１−１〜Ｎ    無線ＬＡＮ移動局
１０−１〜Ｎ    無線ＬＡＮ基地局
２０    集中管理制御装置
１０１    通信部
１０２    制御部
１０３    記憶部
１０４    アンテナ
２０１    通信部
２０２    制御部
２０３    記憶部
２０４    操作部
２０６    カウンタ
２０７    アンテナ
２０８    管理テーブル
【図１】
2007251654.tif 000003
【図２】
2007251654.tif 000004
【図３】
2007251654.tif 000005
【図４】
2007251654.tif 000006
【図５】
2007251654.tif 000007
【図６】
2007251654.tif 000008
【図７】
2007251654.tif 000009
【図８】
2007251654.tif 000010
【図９】
2007251654.tif 000011
【図１０】
2007251654.tif 000012
【図１１】
2007251654.tif 000013
【図１２】
2007251654.tif 000014
【図１３】
2007251654.tif 000015
【図１４】
2007251654.tif 000016